(57)【要約】      （修正有）【課題】大量の温廃水を海岸線近傍に放流し、その海水温度を上昇させる大型発電所、石油工場、石油化学工場等の冷却水に水温の低い（１０Ｃ前後）深層水を使用し、環境破壊度の高い夏季及び春季末・秋季始に海水水温より低い水温の冷却水廃水を行ない環境破壊を防止するシステムを提供する。【解決手段】深層水は深層より海底配管経由で水際に設置するバブルリフト・ポンプ或いは長軸竪型渦巻ポンプで汲み上げ、既設海水取水プールへ放水する。副次的リターンとして、夫々微少ではあるが、発電量の増加（１％前後）、石油工場・石油化学工場に措ける製品収率の向上が見込まれる。【選択図】図−１
2005156125.tif 000002
【特許請求の範囲】
【請求項１】
海水深層水は３００−４００ｍ以深では、水温が１０Ｃ前後であることを利用し、大型発電所、石油工場、石油化学工場等の冷却水に使用するシステム。
【発明の詳細な説明】
【発明の詳細】
｛発明の属する分野｝
【０００１】  大量の温廃水を排出している大型発電所、石油工場、石油化学工場等の環境破壊を解決するシステム技術である。
｛従来の背景技術｝
【０００２】  従来の海水冷却システムは、工場海岸線近傍の海水を直接取水しているので、温廃水の水温は１０Ｃ前後海水温度より高い廃水を放流している。
そのため、特に夏季の温廃水の環境破壊の原因となっている。
｛発明が解決しようとする課題｝
発明の開示
【０００３】  このシステムにより、夏季及び春季末・秋季始の温廃水の水温を周辺海水温度より低く出来るので、大量の冷却水温廃水を放出し工場近傍の海水の水温を上昇させる事に起因する温廃水環境問題を解決する。
｛発明の実施の形態｝
【０００４】  以下、本発明の実施の形態を図−１及び図−２に基ずいて説明する。
【０００５】  図−１の様に、海水深層水を水深３００−４００ｍ以深の海底で取水し、この取水地点  １より海底配管を海岸線まで敷設し２、斜面設置バブルリフト・ポンプ３（関連特願２００３−１２６０１８）或いは斜面設置長軸竪型渦巻ポンプ３により汲み上げ、既設冷却水取水プール４に放水する。
【０００６】  既設冷却海水取水プールの水深が、１０ｍ以上充分あるときは、図−２の様にプール構造体５を利用して長軸竪型渦巻ポンプ６を垂直に取り付け、深層水汲み上げ配管を接続し、プールに放水するのが、最も安価な建設法である。
｛発明の効果｝
【０００７】  大量の冷却水温廃水による工場近傍の海水温度上昇による環境破壊の発生を防止する事が主たる効果である。
更に、夏季に措ける発電所に措ける熱効率上昇による発電量の増加（１％前後）、石油工場・石油化学工場に措ける製品収率の向上或いは深層水の無機・有機的特質によるプランクトン増殖期待等の副次的リターンがある。
【図面の簡単な説明】
【０００８】
【図−１】  深層水の冷却水使用のシステム・ダイアグラム
【図−２】  既設海水取水プールに汲み上げポンプ設置図
【符号の説明】
【０００９】１  深層水取水口
２  深層水汲み上げ配管
３  斜面設置バブルリフト・ポンプ或いは長軸竪型渦巻ポンプ
４  既設海水取水プール
５  長軸竪型渦巻ポンプ
【図−１】
2005156125.tif 000003
【手続補正書】
【提出日】平成15年12月24日(2003.12.24)
【手続補正１】
【補正対象書類名】特許請求の範囲
【補正対象項目名】全文
【補正方法】変更
【補正の内容】
【特許請求の範囲】
【請求項１】
海水深層水は、３００−４００ｍ以深では水温が１０−１５℃前後であることを利用して、大型発電所、石油工場、石油化学工場、天然ガス液化工場等の冷水として使用し、放流する温廃水の水温を工場近傍の海水温より低温にするシステム。
【請求項２】
３００−４００ｍ以深の深層水取水口より海底斜面に沿って取水配管を水面レベルまで敷設し、水面際に斜軸バブルリフト・ポンプ（関連特願２００３−１２６０１８）或いは斜軸竪型渦巻ポンプを設置して深層水を汲み上げるシステム。
【手続補正２】
【補正対象書類名】明細書
【補正対象項目名】全文
【補正方法】変更
【補正の内容】
【発明の詳細な説明】
【０００１】  ｛技術分野｝
【０００１】  大量の冷却水温廃水を排出している大型発電所、石油工場、石油化学工場、天然ガス液化工場等の工場近傍の海洋水温度の上昇を防止して海洋環境破壊を解決するシステム技術である。  ｛背景技術｝
【０００２】  従来の海水使用冷却システムは、工場海岸線近傍の海水を直接取水しているので、水温が海水温度より５−１０℃高い温廃水を放流している。そのため、特に夏季には、工場近傍の海洋温度上昇による環境破壊を発生させている。  ｛発明の開示｝  ｛発明が解決しようとする課題｝
【０００３】  大量の温廃水放流に伴う工場近傍の海洋水温上昇を防止する。  ｛問題を解決するための手段｝
【０００４】温度の低い深層水（３００−４００ｍ水深で１０−１５℃年間恒温、但し水温は場所により夫々異なる）を冷却水として使用する。これにより春季末、夏季および秋季始の廃水温度を工場近傍の洋水温度より低くすることが出来る。  ｛発明の効果｝
【０００５】大量の温廃水放流に伴う工場近傍の海洋水温上昇を防止して、環境破壊を未然に防ぐ。
【０００６】  通常の海水冷却水より低温度の深層水冷却水を使用することにより夏季には、大型発電所、石油工場、石油化学工場或いは天然ガス液化工場等では、夫々熱効率或いは製品収率の向上等の福次的リターンが得られる。国内の大型発電所に夏季適用した場合：海水温度：    １９−２５℃深層水温度：  １０−１５℃温廃水温度：  ボイラー蒸気凝縮温度より３−７℃低く、且つ海水温度より低くする。発電増量：    １％弱海外天然ガス液化工場に適用した場合：深層水温度：  １０−１５℃海水温度：    ３０℃温廃水温度：  ２９℃以下液化天然ガス生産増量：理論上は１０％前後であるが、ハード・ウエアー上の制約を配慮し、７−１０％程度で考えるのが妥当である。石油工場および石油化学工場に適用した場合はユニット・プロセス夫々熱効率・製品収率の向上の度合いが異なる。
【０００７】  深層水の放流による、植物プランクトンの増殖等に伴い、工場近傍の海洋の水産資源の富養化効果も期待出来る。  ｛発明を実施するための最良の形態｝
【０００８】  以下、本発明の実施の形態を図−１及び図−２に基ずいて説明する。図−１の様に、海水深層水を水深３００−４００ｍ以深の海底で取水し、取水地点▲１▼より海底配管を海底に沿って海岸線まで敷設し▲２▼、斜面設置バブルリフト・ポンプ▲３▼（関連特願２００３−１２６０１８）或いは斜面設置長軸竪型渦巻ポンプ▲３▼により汲み上げ、既設冷却水取水プール▲４▼に放水する。
【０００９】  既設冷却海水取水プールの水深が、１０ｍ以上充分あるときは、図−２の様にプール構造体▲５▼を利用して長軸竪型渦巻ポンプ▲６▼を垂直に取り付け、深層水汲み上げ配管を接続し、プールに放水する。最も安価な建設方法である。  ｛産業上の利用可能性｝
【００１０】  国内の全ての大型発電所、石油工場および石油化学工場で適用出来る。湾内の工場等地形的に温廃水が帯流しやすい海洋或いは経験的に赤潮の発生源となる海洋では必須のシステムである。
【００１１】  亜熱帯・熱帯地域等年間海水温度が高く且つ安定している地域での大型発電所、石油工場、石油化学工場、天然ガス液化工場では年間を通して稼動させる必要があり、環境破壊防止効果が大きい。同時に副次的リターン（熱効率或いは製品収率向上）の効果も国内での期待値に比べて倍増する。
【図面の簡単な説明】
【００１２】
【図１】深層水の冷却水使用のシステム・ダイアグラム
【図２】既設海水取水プールに汲み上げポンプ設置図
【符号の説明】
【００１３】  ▲１▼  深層水取水口  ▲２▼  深層水汲み上げ配管  ▲３▼  斜面設置バブルリフト・ポンプ或いは長軸竪型渦巻ポンプ  ▲４▼  既設海水取水プール  ▲５▼  長軸竪型渦巻ポンプ
【手続補正書】
【提出日】平成16年5月25日(2004.5.25)
【手続補正３】
【補正対象書類名】図面
【補正対象項目名】全図
【補正方法】変更
【補正の内容】
【図１】
2005156125.tif 000004
【図２】
2005156125.tif 000005